(57)【要約】【課題】画像間のコントラスト差や取得時の熱の影響を低減し、拡散強調画像の補正の精度を向上し、精度の高い計算画像を得る。【解決手段】リファレンス画像としてｂ値≠０の画像を用い、ＭＰＧパルスの印加軸を異らせて、同一ｂ値で取得した複数の画像間の補正量を算出する。この際、所定の印加軸の所定のｂ値（ｂ≠０）の拡散強調画像をリファレンス画像として、前記所定の印加軸以外の印加軸の補正量を順次算出するようにする。また、同じ印加軸の複数のｂ値の拡散強調画像は、当該印加軸について算出した補正量を用いて補正する。【選択図】図３
2018196582.tif 000002
【特許請求の範囲】
【請求項１】
静磁場、傾斜磁場及び高周波磁場の各磁場を発生する磁場発生部、及び、前記静磁場に置かれた被検体からの核磁気共鳴信号を受信する受信部を備え、異なる拡散感受傾斜磁場条件で複数の計測を行い、拡散感受傾斜磁場条件毎に、核磁気共鳴信号からなる複数の計測データを取得する撮像部と、
前記撮像部が取得した前記計測データを用いて、拡散強調画像を作成する演算部と、を備え、
前記演算部は、複数の拡散強調画像間の位置ずれ及び歪を補正する補正部と、前記補正に用いる補正量を算出する補正量算出部とを備え、
前記補正量算出部は、拡散感受傾斜磁場のｂ値が同一で印加軸が異なる複数の拡散強調画像について、所定の印加軸の所定のｂ値（ｂ≠０）の拡散強調画像をリファレンス画像として、前記所定の印加軸以外の印加軸の補正量を順次算出する手順を繰り返すことにより、各印加軸の前記所定のｂ値の拡散強調画像の補正量を算出し、
前記補正部は、各印加軸について、それぞれ、各印加軸の前記所定のｂ値の拡散強調画像の補正量を用いて、所定のｂ値以外のｂ値の拡散強調画像を補正することを特徴とする磁気共鳴イメージング装置。
【請求項２】
請求項１に記載の磁気共鳴イメージング装置であって、
前記所定のｂ値は、同一の印加軸で設定された複数のｂ値のうち、０以外であって最小の値であることを特徴とする磁気共鳴イメージング装置。
【請求項３】
請求項１に記載の磁気共鳴イメージング装置であって、
前記補正量算出部は、前記補正量を算出する手順を、各印加軸の計測順序に従って繰り返すことを特徴とする磁気共鳴イメージング装置。
【請求項４】
請求項１に記載の磁気共鳴イメージング装置であって、
前記演算部は、前記拡散強調画像から、補正量算出領域を抽出する抽出部をさらに備え、
前記補正量算出部は、前記抽出部が抽出した補正量算出領域の類似度を最大化する補正量を算出することを特徴とする磁気共鳴イメージング装置。
【請求項５】
請求項１に記載の磁気共鳴イメージング装置であって、
前記補正量算出部は、前記複数の印加軸のうち一部の印加軸について補正量を算出し、
前記補正部は、前記一部の印加軸について算出した補正量を用いて、前記一部の印加軸以外の印加軸の拡散強調画像を補正することを特徴とする磁気共鳴イメージング装置。
【請求項６】
請求項５に記載の磁気共鳴イメージング装置であって、
前記一部の印加軸は、印加軸の計測順序に沿って複数の印加軸毎に抽出した印加軸であることを特徴とする磁気共鳴イメージング装置。
【請求項７】
請求項１に記載の磁気共鳴イメージング装置であって、
前記演算部は、前記補正量算出部が算出した補正量の適否を判定する判定部をさらに備えることを特徴とする磁気共鳴イメージング装置。
【請求項８】
請求項７に記載の磁気共鳴イメージング装置であって、
前記補正部は、補正の対象である印加軸の補正量が前記判定部で不適と判定されたときに、適正と判定された他の印加軸の補正量を用いて、当該補正の対象である印加軸の拡散強調画像の補正を行うことを特徴とする磁気共鳴イメージング装置。
【請求項９】
請求項７に記載の磁気共鳴イメージング装置であって、
前記演算部は、補正の対象である印加軸の補正量が前記判定部で不適と判定されたときに、前記撮像部が再計測する制御を行うことを特徴とする磁気共鳴イメージング装置。
【請求項１０】
拡散感受傾斜磁場の印加軸及びｂ値をそれぞれ異ならせた複数の計測を行い、得られた計測データを用いて拡散感受傾斜磁場条件が異なる複数の拡散強調画像を作成し、複数の拡散強調画像間の位置ずれ及び歪を補正する方法であって、
拡散感受傾斜磁場のｂ値が同一で印加軸が異なる複数の拡散強調画像について、所定の印加軸の所定のｂ値（ｂ≠０）の拡散強調画像をリファレンス画像として、前記所定の印加軸以外の印加軸の補正量を順次算出する手順を繰り返すことにより、各印加軸の前記所定のｂ値の拡散強調画像の補正量を算出し、
各印加軸について、それぞれ、各印加軸の前記所定のｂ値の拡散強調画像の補正量を用いて、所定のｂ値以外のｂ値の拡散強調画像を補正することを特徴とする拡散強調画像の補正方法。
【請求項１１】
請求項１０に記載の拡散強調画像の補正方法であって、
補正量の算出を、印加軸の計測順に従って、各印加軸の計測と平行して行うことを特徴とする拡散強調画像の補正方法。
【請求項１２】
拡散感受傾斜磁場の印加軸及びｂ値をそれぞれ異ならせた複数の計測により得られた、拡散感受傾斜磁場条件が異なる複数の拡散強調画像における位置ずれ及び歪を補正する方法であって、
拡散感受傾斜磁場のｂ値が同一で印加軸が異なる複数の拡散強調画像について、所定の印加軸の所定のｂ値（ｂ≠０）の拡散強調画像をリファレンス画像として、前記所定の印加軸以外の印加軸の補正量を順次算出する手順を繰り返すことにより、各印加軸の前記所定のｂ値の拡散強調画像の補正量を算出し、
各印加軸について、それぞれ、各印加軸の前記所定のｂ値の拡散強調画像の補正量を用いて、所定のｂ値以外のｂ値の拡散強調画像を補正することを特徴とする拡散強調画像の補正方法。
【発明の詳細な説明】
【技術分野】
【０００１】
本発明は、拡散強調画像を取得する機能を持つ磁気共鳴イメージング（以下、「ＭＲＩ」という）装置に関し、特に、複数（２以上）のｂ値を用いてそれぞれ取得した複数の拡散強調画像間の位置ずれや歪を補正する技術に関する。
【背景技術】
【０００２】
ＭＲＩ装置は、被検体、特に人体の組織を構成する原子核スピン、主にプロトン、が発生するＮＭＲ信号を計測し、その頭部、腹部、四肢等の形態や機能を２次元的に或いは３次元的に画像化する装置である。ＭＲＩ装置で取得可能な画像の一つに、水分子の動きやすさを画像化した拡散強調画像がある。
【０００３】
拡散強調画像を取得する撮像では、ＭＰＧ（Ｍｏｔｉｏｎ  Ｐｒｏｂｉｎｇ  Ｇｒａｄｉｅｎｔ）と呼ばれる拡散感受傾斜磁場を印加してＮＭＲ信号を取得する。このＭＰＧパルスを印加する軸やパルスの強さを表すパラメータであるｂ値を異ならせて複数の計測を行うことで、みかけの拡散係数（ＡＤＣ：Ａｐｐａｒｅｎｔ  Ｄｉｆｆｕｓｉｏｎ  Ｃｏｅｆｆｉｃｉｅｎｔ）や拡散の異方性（ＦＡ：Ｆｒａｃｔｉｎａｌ  Ａｎｉｓｏｔｒｏｐｙ）などの診断に有用な計算画像を得ることができる。
【０００４】
複数の拡散強調画像を用いて計算を行う場合、拡散強調画像の歪みや画像間の位置ずれや予め補正しておく必要がある。それらの補正方法として、特許文献1には、２以上のｂ値で撮像した拡散強調画像に対して、ｂ値＝０、即ちＭＰＧパルスを印加しないで取得した画像をリファレンスとして、他のｂ値の拡散強調画像の位置や歪みの補正を行う手法が開示されている。この方法によって、位置ずれや歪みが少なく、より病変部のコントラストが明瞭な各種の計算画像を計算することができる。
【先行技術文献】
【特許文献】
【０００５】
【特許文献１】特開２０１２−１５７６８７号公報
【発明の概要】
【発明が解決しようとする課題】
【０００６】
しかしながら、ＭＰＧパルスを印加しないで取得した画像（ｂ値＝０の画像）は、画像のコントラストが他の拡散強調画像とは大きくことなる。従ってｂ値＝０の画像をリファレンスとして、他のｂ値の拡散強調画像の歪み、位置ずれの補正を行った場合、画像のコントラストの違いから、望ましい補正結果を得られない場合がある。その場合、ＡＤＣ、ＦＡなどの計算画像において病変部のコントラストが不明瞭になる現象が発生する可能性がある。また拡散撮像は複数の条件の計測を繰り返すため、計測時間が長くなり、これに伴い装置（傾斜磁場コイル等）の温度が上昇する。拡散強調画像の位置ずれや歪は、装置が発する熱の影響も受けやすいが、従来の補正手法では、これらの影響が考慮されていない。
【０００７】
そこで本発明は、画像間のコントラスト差や取得時の熱の影響を低減し、拡散強調画像の補正の精度を向上することを課題とする。
【課題を解決するための手段】
【０００８】
上記課題を解決するため、本発明は、リファレンス画像としてｂ値≠０の画像を用い、ＭＰＧパルスの印加軸を異らせて、同一ｂ値で取得した複数の画像間の補正量を算出する。この際、所定の印加軸の所定のｂ値（ｂ≠０）の拡散強調画像をリファレンス画像として、前記所定の印加軸以外の印加軸の補正量を順次算出するようにする。また、同じ印加軸の複数のｂ値の拡散強調画像は、当該印加軸について算出した補正量を用いて補正する。
【０００９】
すなわち、本発明のＭＲＩ装置は、静磁場、傾斜磁場及び高周波磁場の各磁場を発生する磁場発生部、及び、前記静磁場に置かれた被検体からの核磁気共鳴信号を受信する受信部を備え、異なる拡散感受傾斜磁場条件で複数の計測を行い、拡散感受傾斜磁場条件毎に、核磁気共鳴信号からなる複数の計測データを取得する撮像部と、前記撮像部が取得した前記計測データを用いて、拡散強調画像を作成する演算部と、を備え、前記演算部は、複数の拡散強調画像間の位置ずれ及び歪を補正する補正部と、前記補正に用いる補正量を算出する補正量算出部とを備える。前記補正量算出部は、拡散感受傾斜磁場のｂ値が同一で印加軸が異なる複数の拡散強調画像について、所定の印加軸の所定のｂ値（ｂ≠０）の拡散強調画像をリファレンス画像として、前記所定の印加軸以外の印加軸の補正量を順次算出する手順を繰り返すことにより、各印加軸の前記所定のｂ値の拡散強調画像の補正量を算出し、前記補正部は、各印加軸について、それぞれ、各印加軸の前記所定のｂ値の拡散強調画像の補正量を用いて、所定のｂ値以外のｂ値の拡散強調画像を補正する。
【発明の効果】
【００１０】
本発明のＭＲＩ装置及び拡散強調画像の補正方法によれば、ｂ値の違いによって、コントラストが異なる拡散強調画像に対しても、位置ずれ、歪み補正を精度よく行うことができ、拡散強調画像から算出される計算画像の精度することができる。
【図面の簡単な説明】
【００１１】
【図１】本発明が適用されるＭＲＩ装置の全体構成の一例を示す図。
【図２】拡散感受傾斜磁場を用いる撮影パルスシーケンスの一例。
【図３】実施形態１の演算部の機能ブロック図。
【図４】実施形態１の処理フローを示す図。
【図５】拡散感受傾斜磁場の軸とｂ値の計測順を説明する図。
【図６】拡散強調撮像の条件設定画面の一例を示す図。
【図７】図４のステップＳ２０５の詳細を示すフローチャート。
【図８】実施形態１の手法で取得した画像を示す図。
【図９】従来手法で取得した画像を示す図。
【図１０】実施形態２の処理フローを示す図。
【図１１】実施形態３の演算部の機能ブロック図。
【図１２】実施形態３の処理フローを示す図。
【図１３】実施形態４の処理フローを示す図。
【発明を実施するための形態】
【００１２】
以下、添付図面を参照し、本発明のＭＲＩ装置の実施形態について詳説する。なお、発明の実施形態を説明するための全図において、同一機能を有するものは同一符号を付け、その繰り返しの説明は省略する。
【００１３】
最初に、本発明が適用されるＭＲＩ装置の一例の全体概要を説明する。このＭＲＩ装置は、図１に示すように、主として、静磁場発生部２と、傾斜磁場発生部３と、送信部５と、受信部６と、信号処理部７と、シーケンサ４と、演算部（ＣＰＵ）８とを備えている。以下の説明では、静磁場発生部２、傾斜磁場発生部３、送信部５及び受信部６を総括して撮像部ともいう。
【００１４】
静磁場発生部２は、永久磁石方式、常電導方式あるいは超電導方式の静磁場発生源を備え、被検体１が置かれる空間に均一な静磁場を発生させる。静磁場の方向により垂直磁場方式や水平磁場方式のものがあり、本発明はいずれの方式にも適用することができる。
【００１５】
傾斜磁場発生部３は、ＭＲＩ装置の座標系（静止座標系）であるＸ、Ｙ、Ｚの３軸方向に傾斜磁場を印加する３組の傾斜磁場コイル９と、それぞれの傾斜磁場コイルを駆動する傾斜磁場電源１０とを備え、後述のシ−ケンサ４からの命令に従ってそれぞれのコイルの傾斜磁場電源１０を駆動することにより、Ｘ、Ｙ、Ｚの３軸方向に傾斜磁場Ｇｘ、Ｇｙ、Ｇｚを印加する。これら３軸方向の傾斜磁場を組み合わせることにより、任意の方向をスライス面（撮像断面）に設定することができ、また、そのスライス面に直交して且つ互いに直交する残りの２方向に位相エンコード傾斜磁場パルス（Ｇｐ）と周波数エンコード傾斜磁場パルス（Ｇｆ）を印加して、エコー信号にそれぞれの方向の位置情報をエンコードすることができる。さらに傾斜磁場を組み合わせることで、任意の軸にＭＰＧパルスを印加することができる。また傾斜磁場パルスの強度は、その波形で決まり、シーケンサ４により制御される。
【００１６】
シーケンサ４は、高周波磁場パルス（以下、「ＲＦパルス」という）と傾斜磁場パルスをある所定のパルスシーケンスで繰り返し印加する制御手段で、演算部８の制御で動作し、被検体１の断層画像のデータ収集に必要な種々の命令を送信部５、傾斜磁場発生部３、および受信部６に送る。パルスシーケンスは、撮像方法に応じて種々のパルスシーケンスがあり、予め記憶装置等に格納されている。本実施形態では、パルスシーケンスとして、拡散イメージングのパルスシーケンスが記憶装置等から読み出され、実行される。
【００１７】
送信部５は、被検体１の生体組織を構成する原子の原子核スピンに核磁気共鳴を起こさせるために、被検体１にＲＦパルスを照射するもので、高周波発振器１１と変調器１２と高周波増幅器１３と送信側の高周波コイル（送信コイル）１４ａとを備える。高周波発振器１１から出力されたＲＦパルスをシーケンサ４からの指令によるタイミングで変調器１２により振幅変調し、この振幅変調されたＲＦパルスを高周波増幅器１３で増幅した後に被検体１に近接して配置された高周波コイル１４ａに供給することにより、ＲＦパルスが被検体１に照射される。
上記静磁場発生部２、傾斜磁場発生部３及び送信部５は、本発明における磁場発生部を構成する。
【００１８】
受信部６は、被検体１の生体組織を構成する原子核スピンの核磁気共鳴により放出されるエコー信号（ＮＭＲ信号）を検出するもので、受信側の高周波コイル（受信コイル）１４ｂと信号増幅器１５と直交位相検波器１６とＡ／Ｄ変換器１７とを備える。送信側の高周波コイル１４ａから照射された電磁波によって誘起された被検体１の応答のＮＭＲ信号が被検体１に近接して配置された高周波コイル１４ｂで検出され、信号増幅器１５で増幅された後、シーケンサ４からの指令によるタイミングで直交位相検波器１６により直交する二系統の信号に分割され、それぞれがＡ／Ｄ変換器１７でディジタル量に変換されて、信号処理部７に送られる。
【００１９】
信号処理部７は、各種データ処理と処理結果の表示及び保存等を行うもので、光ディスク１９、磁気ディスク１８等の外部記憶装置と、ＣＲＴ等からなるディスプレイ２０とを有する。受信部６からのデータが演算部（ＣＰＵ）８に入力されると、演算部８が信号処理、画像再構成等の処理を実行し、その結果である被検体１の断層画像をディスプレイ２０に表示すると共に、外部記憶装置の磁気ディスク１８等に記録する。
【００２０】
演算部８は、上述した画像再構成等の処理の他、シーケンサ４を介して撮像部を制御する制御部としても機能する。図１では、演算部８の機能を実現する具体的な手段としてＣＰＵを示しているが、演算部８の機能の一部は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ  Ｐｒｏｇｒａｍｍａｂｌｅ  Ｇａｔｅ  Ａｒｒａｙ）などのハードウェアでも実現可能である。またＣＰＵが実現する場合には、メモリ等に格納された処理プログラムをＣＰＵが読み込み実行することで実現される。
【００２１】
操作部２５は、ＭＲＩ装置の各種制御情報や信号処理部７や演算部８で行う処理の制御情報を入力するもので、トラックボール又はマウス２３、及び、キーボード２４等の入力デバイスを備える。操作部２５はディスプレイ２０に近接して配置され、操作者がディスプレイ２０を見ながら操作部２５を通してインタラクティブにＭＲＩ装置の各種処理を制御する。
【００２２】
次に本発明が対象とする拡散イメージングのパルスシーケンスについて説明する。拡散イメージングのパルスシーケンスは、通常の撮影シーケンスに前述したＭＰＧを付加したものである。撮影シーケンスは特に限定されないが、通常、ＭＰＧの影響が明確に現れやすいエコープラナーイメージング（ＥＰＩ）のパルスシーケンスが用いられる。典型的な撮影シーケンスを図２に示す。本シーケンスはスピンエコー型エコープラナーイメージング（ＳＥ−ＥＰＩ）と呼ばれるシーケンスにＭＰＧパルス３５、３６を埋め込んでいる。図中、ＲＦ、Ｇｓ、Ｇｅ、Ｇｒは、それぞれ、ＲＦパルス、スライス傾斜磁場、エンコード傾斜磁場、読出し傾斜磁場を表す。ＥＰＩシーケンスはよく知られているシーケンスであり、詳細な説明は省略するが、一回のパルスシーケンスの実行で一枚の画像再構成に必要な画像情報をすべて取得するワンショットＳＥ−ＥＰＩ、エンコード傾斜磁場パルスの形状を点線のように変えながら、一連のパルスシーケンスを複数回繰り返して一枚の画像情報を取得する分割型（マルチショット）ＳＥ−ＥＰＩがある。本発明では、いずれを採用してもよい。またマルチスライス撮像では、所定のスライス数分の画像情報を取得する。
【００２３】
なお図２ではＭＰＧパルス３５、３６は読出し傾斜磁場Ｇｒの方向に印加されているが、他の軸（Ｇｅ、Ｇｓ）に印加される場合や、複数の軸に同時に印加される場合がある。複数の軸に同時に印加する場合は、各軸のベクトルの和ベクトルの大きさが傾斜磁場の強度、角度が印加軸の角度となる。拡散イメージングでは、ＭＰＧパルスの印加軸に沿った水分子の拡散が画像化されるので、Ｇｓ、Ｇｅ、Ｇｒの軸のみならず、それらを適宜合成したＭＰＧ印加軸の計測を行うことで、水分子の移動を抑制する組織、例えば神経線維などが描出しやすくなる。
【００２４】
ＭＰＧパルス３５、３６は、撮影用の傾斜磁場と同一のハードウエア（傾斜磁場発生部３）を使って生成され、その波形を制御することで計測毎にパルス強度（ｂ値）を変化させることができる。本実施形態では、複数の印加軸で且つ各印加軸につき複数のｂ値の計測を行い、複数（例えば印加軸数×ｂ値を異ならせる数）の拡散強調画像を取得する。複数の画像には、ｂ値＝０、すなわちＭＰＧパルスを印加しない計測が含まれていてもよい。これら拡散感受傾斜磁場条件が異なる複数の計測で得た複数の拡散強調画像は、さらに、ＡＤＣ、ＦＡ、平均尖度（ＭＫ：Ｍｅａｎ  Ｋｕｒｔｏｓｉｓ）などの計算画像を算出するために用いられる。この計算画像の精度を向上するために、複数の拡散強調画像に対し、画像間の位置ずれや歪みを補正する処理を行う。
【００２５】
これらの機能は演算部８により実現される。以下、演算部８が実現する画像再構成に関わる機能の具体的な実施形態を説明する。
【００２６】
＜＜実施形態１＞＞
本実施形態の演算部は、複数の拡散強調画像間のずれ及び歪を補正する補正部と、補正に用いる補正量を算出する補正算出部とを備える。さらに補正量を算出するための補正量算出領域を抽出する抽出部を備えていてもよい。補正量算出部は、補正量算出部は、拡散感受傾斜磁場のｂ値が同一で印加軸が異なる複数の拡散強調画像について、所定の印加軸の所定のｂ値（ｂ≠０）の拡散強調画像をリファレンス画像として、前記所定の印加軸以外の印加軸の補正量を順次算出する手順を繰り返すことにより、各印加軸の前記所定のｂ値の拡散強調画像の補正量を算出し、前記補正部は、各印加軸について、それぞれ、各印加軸の前記所定のｂ値の拡散強調画像の補正量を用いて、所定のｂ値以外のｂ値の拡散強調画像を補正する。
【００２７】
本実施形態の演算部８の機能、特に画像再構成に関連する機能を示す機能ブロック図を図３に示す。図示するように、演算部８は、制御部８０、画像再構成部８１、抽出部８２、補正量算出部８３、補正部８５、計算画像算出部８７、及び、表示制御部８９を備える。制御部８０は、撮像部の制御及び演算部内の各機能部の制御を行う。画像再構成部８１は、拡散感受傾斜磁場条件（印加軸、ｂ値）が異なる計測毎に収集した計測データに対しフーリエ変換等の画像再構成演算を施し、拡散強調画像を作成する。抽出部８２は、各拡散強調画像から、それぞれ、補正量計算のための領域、即ち補正量算出領域を抽出する。補正量算出部８３は、複数の拡散強調画像のうち、一つをリファレンスとして、他の拡散強調画像の補正量を算出する。リファレンスとしてはｂ値がゼロ以外の画像を用いる。好適には複数のｂ値のうち最小のｂ値の画像を用いる。補正部８５は、補正量算出部８３が算出した補正量を用いて複数の拡散強調画像の位置ずれや歪を補正する。計算画像算出部８７は、補正後の拡散強調画像を用いて、計算画像を算出する。表示制御部８９は、演算部８で作成した画像や、操作者に入力を促すためのＧＵＩなどの表示画像を作成し、ディスプレイ２０に表示させる。
【００２８】
以上の構成を踏まえ、本実施形態のＭＲＩ装置による処理の流れを、図４に示す処理フローを参照して、説明する。
【００２９】
＜ステップＳ２０１＞
被検体１を静磁場発生部２の検査空間にセットアップした後、操作部２５を介して、ｂ値＝０を含む複数のｂ値の各拡散強調画像の撮像を行うための撮像条件を受け付ける。演算部８は、撮像条件を受け付けると、拡散強調撮像における各計測で用いる傾斜磁場波形の計算を行い、結果をシーケンサ４に渡す。
【００３０】
＜ステップＳ２０２＞
シーケンサ４の制御のもとで、撮像部（送信部５、傾斜磁場発生部３、および受信部６）が動作し、ステップＳ２０１で設定された撮像条件で拡散強調パルスシーケンスに従った撮像を行い、拡散強調画像用データ（計測データ）を被検体の同一断面で取得する。演算部８は計測データを受け取り、画像再構成部８１において、ｂ値＝０を含む複数のｂ値の拡散強調画像を作成する。
【００３１】
複数の拡散感受傾斜磁場条件の計測の順序は、特に限定されないが、例えば、１番目のＭＰＧ印加軸でｂ値を変えながら複数の計測を行い、次いで別のＭＰＧ印加軸でｂ値を変えながら複数の計測を行う。以下の説明では、計測順で１番目の印加軸を１軸目、２番目の印加軸を２軸目、（以下同様）という。ｂ値を変える順序は、例えば小さいｂ値（Ｌｏｗ‐ｂ）から大きいｂ値（Ｈｉｇｈ‐ｂ）に変化させてもよいし、その逆でもよい。図５に印加軸とｂ値の計測順序の一例を模式的に示す。図５において、放射線状の矢印はＭＰＧの軸を示し、矢印に付された数字は計測順序を示している。図５のＭＰＧの軸は、実空間の配置とは関係がなく、空間的にはどのような配置であってもよい。各放射線の半径方向の軸はｂ値の軸で、中心から外側に向かってｂ値が高くなることを示しており、ここでは１軸目及び２軸目に計測順１〜６を表す数字を囲む図形で示すように、各軸でＨｉｇｈ‐ｂからＬｏｗ‐ｂに向かって計測する場合を示している。
【００３２】
＜ステップＳ２０３＞
操作部２５を介して、拡散強調画像の補正の実行操作を受け付ける。このステップでは、補正を実行するか否かを受け付け、補正を行う場合、リファレンスとするｂ値の入力を受け付ける。図６に、操作者の操作を受け付ける画面（ＧＵＩ）の一例を示す。図示する例では、ステップＳ２０２で作成された拡散強調画像（ＤＷＩ）等の画像表示ブロック６１と、画像表示ブロック６１に表示させる画像を選択するメニューを表示するブロック６２、補正に関する設定を行うためブロック６３、作成する各種計算画像等を選択するメニューを表示するブロック６４が設けられている。ブロック６３には、歪みや位置ずれ補正を選択するチェックボックス６３１が表示されている。
【００３３】
ｂ値については、デフォルトとして予め設定しておいてもよいし、ｂ値を入力するためのボックスを表示しておいてもよい。後者の場合、チェックボックス６３１により補正することが選択された場合、ｂ値を入力するためのボックスを表示するようにしてもよい。リファレンスとするｂ値は、他のｂ値の画像とのコントラスト差による補正誤差を防ぐために、ゼロ以外の値とする。さらに、渦電流による歪みを精度よく補正するためには、渦電流の影響が最も小さい最小値とすることが好ましい。また、撮像時間が長い場合に装置の熱に起因する画像の位置ずれに対しては、最も早く撮像する軸のｂ値が最も熱の影響が小さいため、好適である。また、永久磁石を用いたＭＲＩ装置においては、残留磁場による画像の歪みや位置ずれが発生し、残留磁場の影響はｂ値が大きいほど大きくなるため、最も低い値が好適である。
【００３４】
操作者は、例えば、画像表示ブロック６１に表示された拡散強調画像を確認して、補正の要否を判断することができる。但し、歪みや位置ずれ補正は、操作部２５を介して選択するのではなく、自動的に実行してもよい。また、補正実行の設定はステップＳ２０１で行ってもよい。
【００３５】
＜ステップＳ２０４＞
演算部８は、ステップＳ２０２で作成した複数の拡散強調画像のうち、ステップＳ２０３で指定されたｂ値或いはデフォルトで設定されたｂ値の拡散強調画像を用いて、リファレンス画像の作成を行う。ここでは、計測順で１軸目の最小のｂ値（但しｂ値≠０）の拡散強調画像Ｓ１を用いて、リファレンス画像Ｒの作成を行う例を示す。
【００３６】
リファレンス画像Ｒは、拡散強調画像Ｓ１をそのまま用いることも可能であるが、本実施形態では後述の補正量の算出の精度を高めるために、抽出部８２が領域の抽出を行いリファレンス画像とする。抽出する領域は、水分子の拡散の影響を受けない部位であることが好ましく、例えば頭部の画像であれば、脳実質領域などとする。抽出の手法は特に限定されず、判別分析法などの公知の閾値処理や領域抽出処理、機械学習処理を用いることができる。
【００３７】
ここで、リファレンス画像はｂ値＝０を除く最小のｂ値の１軸目の拡散強調画像を好適ｂ値として用いたが、ｂ値＝０からの位置ずれ、歪みの程度がより小さい画像であれば、他の軸や他のｂ値の他の画像であってもよい。
【００３８】
＜ステップＳ２０５＞
補正量算出部８３は、２軸目以降の拡散強調画像について、リファレンス画像Ｒを作成した拡散強調画像Ｓ１と同じｂ値の拡散強調画像を用いて、位置ずれ歪補正を行うための補正量を算出し、補正を行う。本ステップの詳細を図７に示す。
【００３９】
［ステップＳ２０５１］
まず２軸目の拡散強調画像Ｓ２について、リファレンス画像Ａと同じ領域を抽出し、領域抽出画像Ｂを作成する。
【００４０】
［ステップＳ２０５２］
領域抽出画像Ｂの、リファレンス画像Ａに対する位置ずれ量及び歪量を算出する。位置ずれ量と歪量の算出は、例えば、次式（１）に示すように、抽出画像Ｂをリファレンス画像Ａに一致させるためのシフト量や変換行列として算出することができ、公知のダイス係数（Ｄｉｃｅ‘ｓ  ｓｉｍｉｌａｒｉｔｙ  ｃｏｅｆｆｉｃｉｅｎｔ）や相互情報量（ＭＩ：Ｍｕｔｕａｌ  Ｉｎｆｏｒｍａｔｉｏｎ）などの指標の値が最大化するように、シフト量や変換行列を算出する。
【００４１】
［数１］
Ａ＝ｃ×Ｂ＋ｄ          （１）
式中、ｃは変換行列（歪み）、ｄはシフト量を示す。Ａはリファレンス画像、Ｂは補正対象画像から補正量算出領域を抽出した抽出画像である。
【００４２】
例えば、ダイス係数を用いた補正では、次式（２）で表されるダイス係数ｓ（ｓｉｍｉｌａｒｉｔｙ）を最大化するようにシフト量（式（１）のｄ）を変更して繰り返し計算を行う。
【００４３】
【数２】
2018196582.tif 000003
式中、ｓはダイス係数、Ｂは拡散強調画像Ｓ２の領域抽出画像、Ａはリファレンス画像である（以下、同じ）。
【００４４】
ＭＩを用いた補正では、次式（３）で表されるＭＩが最大となる補正条件を算出する。
【数３】
2018196582.tif 000004
ここで、ａ、ｂは画像Ａ、Ｂの画素値、ｍ、ｎは画像Ａ、Ｂの階調数を示す。p(ai, bj)は、ai, bjが同時におこる確率、p(ai), p(bj)は、ai , bjがそれぞれおこる確率を示す。
【００４５】
具体的には、次の手順で補正条件を算出する。まず歪み、位置補正対象の画像Ｂに、所定の補正処理を行い、ＭＩを算出する。さらに補正条件を変更してＭＩを算出する。補正条件の変更とＭＩの算出とを繰り返し、ＭＩが最大になる補正条件（補正量）を得る。
【００４６】
［ステップＳ２０５３、Ｓ２０５４］
補正量算出部８３は、３軸目以降の拡散強調画像についても、ステップＳ２０５１とＳ２０５２を繰り返し、補正量を算出する。
【００４７】
［ステップＳ２０５５］
補正部８５は、ステップＳ２０５２で算出したシフト量や変換行列を、２軸目の拡散強調画像Ｓ２及びそのｂ値以外のｂ値の拡散強調画像に適用して、位置補正、歪み補正を行う。３軸目以降の拡散強調画像についても、同様に、Ｓ２０５３で算出したシフト量や変換行列を、その軸の各ｂ値の拡散強調画像に適用して、位置補正、歪み補正を行う。
【００４８】
計測した全てのＭＰＧ軸についてステップＳ２０５１〜Ｓ２０５５が終了した時点で、補正処理（図４：Ｓ２０５）が完了する。なおステップＳ２０５２〜Ｓ２０５４とステップＳ２０５５は並行して行ってもよい。即ち２軸目の補正量算出後に２軸目の補正を行い、次いで３軸目の補正量算出・補正、４軸目の補正量算出・補正、というように処理を進めてもよい。
【００４９】
このようにステップＳ２０５では、補正量算出部８３及び補正部８５が、ステップＳ２０５３で算出した抽出した拡散強調画像Ｓ２のシフト量、変換行列に基づいて、同じｂ値の撮像順が３軸目以降の拡散強調画像Ｓ３に対して、位置ずれ、歪み補正を行う。すなわち、一つ前の軸の拡散強調画像で計算した補正量を初期値として、すべての軸の拡散強調画像の位置ずれ、歪みを補正する。
【００５０】
また同軸の拡散強調画像については、低ｂ値（Ｌｏｗ−ｂ）で算出した補正量を用いて、高ｂ値（Ｈｉｇｈ−ｂ）の拡散強調画像を補正する。それにより高い精度で補正を行うことができる。例えばＨｉｇｈ−ｂなどの拡散強調画像では、コントラストがＬｏｗ−ｂの拡散強調画像とは異なるため、Ｌｏｗ−ｂと同様の処理では正しく補正量を算出できない場合がある。また、同じ印加軸で連続してＬｏｗ−ｂとＨｉｇｈ−ｂの計測データを計測する場合、計測順から、同軸のＬｏｗ−ｂ、Ｈｉｇｈ−ｂ間では位置ずれ、歪み補正が小さい。従って、全てのｂ値の画像について補正量を算出しなくても補正の精度を保つことができる。
【００５１】
上述した説明では、ステップＳ２０５で、同軸の異なるｂ値の拡散強調画像で算出した補正量を、他ｂ値の拡散強調画像の補正量として用いたが、本実施形態はこれに限定されるものではなく、位置ずれや歪みが同程度の画像であれば、他の軸の画像の補正量を用いてもよい。
【００５２】
またステップＳ２０５において、領域抽出を行った後に指標を用いてずれ量や歪み量を算出したが、領域抽出を行わず、画像のまま算出処理を行ってもよい。この場合には、図３に示す抽出部８２は省略することができる。さらに補正量の算出手法は、指標の最大化ではなく、公知の機械学習を用いた分析や、その他の特徴を用いた分析であってもよい。
【００５３】
＜ステップＳ２０６＞
上述したステップＳ２０４、Ｓ２０５を、必要なスライス数分行った後、計算画像算出部９７は、補正後の拡散強調画像と、ｂ値＝０の拡散強調画像とを用いて、各種の計算画像を計算する。計算画像は、みかけ拡散係数（ＡＤＣ）、拡散異方性（ＦＡ）或いは平均尖度（ＭＫ）などの計算値をピクセル毎に算出した画像であり、指数関数フィッティング（例えばＭｏｎｏ  Ｅｘｐｏｎｅｎｔｉａｌ  Ｆｉｔｔｉｎｇ，  Ｂｉ  Ｅｘｐｏｎｅｎｔｉａｌ  Ｆｉｔｔｉｎｇ）、拡散尖度画像（Ｄｉｆｆｕｓｉｏｎ  Ｋｕｒｔｏｓｉｓ  Ｉｍａｇｉｎｇ）などの公知の拡散モデルに基づいて、算出することができる。
【００５４】
＜ステップＳ２０７＞
表示制御部８９は、ステップＳ２０６で算出した計算画像をディスプレイ２０に表示する。このとき、例えば、図６に示したように、ステップＳ２０２で作成した拡散強調画像或いは補正後の拡散強調画像などを併せて表示してもよい。
【００５５】
以上説明したように、本発明の実施形態１では、演算部８が、ｂ値＝０を含む各軸方向の複数のｂ値の拡散強調画像から、所定のｂ値（ｂ≠０）の拡散強調画像をリファレンスに、他軸の拡散強調画像の位置、歪みを補正する。このとき、撮像順が前の軸の補正量を初期値として、撮像順が次の軸の補正量を計算する。さらに、各軸について算出した補正量を同軸の他ｂ値の拡散強調画像に適用し、位置、歪みを補正する。その後に各種の計算画像を計算する。このような方法によって、ｂ値＝０の画像をリファレンスに、各軸、各ｂ値の拡散強調画像を補正し、計算した画像と比較して、より組織のコントラストが明瞭な画像を算出することができる。
【００５６】
本実施形態の方法によって得られた脳の拡散強調画像と、従来法によって得られた同部位の画像（比較例）とを、それぞれ、図８及び図９に示す。ここでは一例として、ｂ値＝０のＤＷＩ画像、ｂ値＝１０００のＤＷＩ画像、及びＭＫ画像を示す。比較例のＤＷＩ（ｂ値＝１０００）では脳実質周辺に位置ずれによる画像のぼけが見られ、それをもとに算出された計算画像と本実施形態により得られた計算画像とを比較すると、本実施形態の画像のほうが脳実質周辺の拡散情報を精度よく描出できていることがわかる。
【００５７】
このように本実施形態によれば、ゼロ以外のｂ値を用いて拡散強調画像を補正することで、高いコントラストの拡散強調画像を得ることが可能になる。特に、高磁場ＭＲＩ装置で熱などの影響で位置ずれ、歪みの程度が大きい場合でも、計算画像の精度を向上することができる。
【００５８】
なお、以上の説明では、２次元の画像を用いた補正方法を説明したが、３次元の画像であってもよい。
【００５９】
＜＜実施形態２＞＞
実施形態１では、計測したすべてのＭＰＧ印加軸の拡散強調画像について補正量を算出する場合を説明したが、本実施形態は、計測した複数のＭＰＧ印加軸のうち、一部の軸についてのみ補正量を算出し、他の軸については、一部の軸について算出した補正量を用いて補正することが特徴である。
【００６０】
本実施形態においても、装置の構成は実施形態１と同じであるが、演算部８の機能が異なる。以下、実施形態１で用いた図面を適宜援用して、実施形態１と異なる処理を中心に本実施形態を説明する。本実施形態の処理フローを図１０に示す。
【００６１】
＜ステップＳ２０１〜ステップＳ２０４＞
これらのステップの処理は実施形態１のＳ２０１〜Ｓ２０４の処理と同様であり、撮像条件の設定から撮像、各拡散感受傾斜磁場条件における拡散強調画像の取得、及びリファレンス画像の作成までを行う。
【００６２】
＜ステップＳ３０１＞
補正量算出部８３は、ステップＳ２０２で作成した複数の拡散強調画像のうち、補正量を算出する１乃至複数の画像を選択（抽出）し、それらの補正量を算出する。画像の選択手法としては、例えば、計測順で奇数番目となるＭＰＧ印加軸、或いは３ｎ＋１番目のＭＰＧ印加軸（ｎは１以上の整数）（その画像）を選択し、その印加軸の画像であって、ｂ値がリファレンス画像を作成した拡散強調画像と同じｂ値の画像を選択する。或いは、機械学習処理などを用いて、歪みや位置ずれが同程度となる画像をクラスタリングして、一部を抜き出すなどの方法でもよい。
【００６３】
＜ステップＳ３０２＞
補正量の算出は、実施形態１（ステップＳ２０５）と同様であり、例えば計測順で、リファレンス画像の計測順と一番近い拡散強調画像から順に、最初の補正量を算出し、次いでそれを初期値として（正確にはその補正量で補正された拡散強調画像を初期値として）次の順番の拡散強調画像の補正量を算出する、という手順を繰り返し、順次補正量を算出する。その際、例えば、ダイス係数や相互情報量などの指標を用いて、指標を最大化する補正量を求める。ダイス係数を用いる場合には、リファレンス画像及び補正量を求める対象である拡散強調画像は、実施形態１のステップＳ２０４で説明した領域抽出を行うことが好ましい。これにより補正量算出の精度を高めることができる。
【００６４】
＜ステップＳ３０３＞
補正部８５は、さらに、ステップＳで算出した補正量を、補正量が算出されていない他の印加軸の画像に適用する。例えば、奇数番目の印加軸について補正量が算出されている場合、偶数番目の印加軸の画像に適用する。偶数番目の印加軸は、順番で先行するものであってもよいし、後続のものであってもよい。また印加軸を２つ置きに選択した場合などは、計測順が近い方の補正量を適用する。クラスタリングした場合には、同一分類にクラスタリングされた画像に対し、同じ補正量を適用する。
【００６５】
＜ステップＳ３０４＞
補正部８５は、ステップＳ３０２、Ｓ３０３で算出した印加軸の補正量を用いて、対応する印加軸のすべてのｂ値の画像を補正する。
【００６６】
＜ステップＳ２０６、Ｓ２０７＞
実施形態１のスッテプＳ２０６、Ｓ２０７と同様であり、補正後の拡散強調画像を用いて計算画像を算出し、ディスプレイ２０に表示させる。
【００６７】
以上説明したように本実施形態では、一部の拡散強調画像に対してのみ補正量を算出し、その他の拡散強調画像に対しては、算出した補正量を用いて補正を行う。本実施形態によれば、実施形態１と同様に、ｂ値＝０の拡散強調画像に依存することなく、拡散強調画像の補正を行うことができ、計算画像のコントラストを改善できる。また計測順序が近い画像やクラスタリングした画像は、熱に起因する歪や位置ずれが同様に生じているのでそのうちの一つの画像について算出した補正量を他の画像に適用することができ、これにより補正量算出の計算コストを低減することができる。
【００６８】
＜＜実施形態３＞＞
本実施形態は、所定の印加軸の、所定のｂ値の画像から作成したリファレンス画像を用いて、順次各印加軸の補正量を算出することは実施形態１或いは実施形態２と同様であるが、本実施形態では、補正量の適否を判定し、不適と判定された補正量を、他の軸の画像について算出した補正量で代用することが特徴である。
【００６９】
本実施形態の演算部８の機能と処理について、図１１のブロック図と図１２のフローを参照して説明する。図１１に示すように、本実施形態の演算部８は、補正量算出部８３が算出した補正量の適否を判定する判定部８４が追加されている。それ以外は図３に示す実施形態１の演算部８と同様であるが、補正部８５は、判定部８４の結果に応じて、各画像に適用する補正量を、当該画像について算出された補正量か他の画像について算出された補正量に使い分ける。
【００７０】
以下、図１２を参照して本実施形態の処理フローを説明する。
＜ステップＳ２０１〜ステップＳ２０４＞
これらのステップの処理は実施形態１のＳ２０１〜Ｓ２０４の処理と同様であり、撮像条件の設定から撮像、各拡散感受傾斜磁場条件における拡散強調画像の取得、及びリファレンス画像の作成までを行う。
【００７１】
＜ステップＳ４０１＞
補正量算出部８３は、リフェレンス画像を作成した拡散強調画像の印加軸と異なる印加軸であってｂ値が同一の画像について、実施形態１或いは実施形態２の手法で補正量を算出する。
【００７２】
＜ステップＳ４０２＞
判定部８４は、算出された補正量の適否を判定する。補正量の適否は、予め設定した基準値以内かを判定する。例えば、位置ずれ量（式（１）のＢ）の場合、ピクセル数や画素全体に対する割合を判定基準とし、画素で１０ピクセルを超える場合や画素全体に対する割合が所定の割合（％）を超える場合などを異常（不適）と判定することができる。また補正量算出部が、ダイス係数やＭＩ等の指標を用いて算出する際に、演算の繰り返し回数が所定回数を超えても指標を最大化する補正量が算出できない場合を異常と判定してもよい。
【００７３】
なお判定部８４による処理は、補正量算出部８３が全ての補正量を算出した後に行ってもよいが、補正量算出部８３の処理と並行して逐次、行ってもよい。
【００７４】
＜ステップＳ４０３、Ｓ４０４＞
補正部８５は、補正量算出部８３が算出した各印加軸の画像の補正量のうち、基準値以内である（適正）と判定された補正量を用いて、その画像を補正する（Ｓ４０３）。また補正量が不適或いは異常と判定された印加軸の画像については、他の画像について算出された適正な補正量を用いて補正を行う（Ｓ４０４）。他の画像は、限定されるものではないが、計測順が近い印加軸の画像が好ましい。他の軸の補正量を用いるのではなく、各軸の補正量の平均値や中央値などを用いてもよい。
＜ステップＳ４０５＞
各軸のすべてのｂ値の画像について、印加軸毎に算出した補正量を用いて補正を行う。
【００７５】
＜ステップＳ２０６、Ｓ２０７＞
実施形態１のスッテプＳ２０６、Ｓ２０７と同様であり、補正後の拡散強調画像を用いて計算画像を算出し、ディスプレイ２０に表示させる。
【００７６】
以上説明したように、本実施形態では、補正量算出部が算出した補正量の適否を判定し、補正量が不適と判定された軸については、補正量が適正と判定された軸の補正量を用いて歪や位置ずれの補正を行う。本実施形態によれば、実施形態１或いは実施形態２と同様の効果に加え、不適な補正量を他の補正量に置き換えることで、補正の精度を向上することができ、より高精度な計算画像を算出することができる。
【００７７】
＜＜実施形態４＞＞
本実施形態は、実施形態３と同様に、演算部８が補正量の適否を判定する手段（判定部）を備える。ただし、実施形態３では、不適と判定された補正量を、他の軸の画像について算出した補正量で代用したのに対し、本実施形態では、再計測を促す表示を行うことが特徴である。
【００７８】
本実施形態の処理について、図１３のフローを参照して説明する。
＜ステップＳ２０１〜ステップＳ２０４＞
これらのステップの処理は実施形態１のＳ２０１〜Ｓ２０４の処理と同様であり、撮像条件の設定から撮像、各拡散感受傾斜磁場条件における拡散強調画像の取得、及びリファレンス画像の作成までを行う。
【００７９】
＜ステップＳ４０１、Ｓ４０２＞
このステップの処理は、実施形態３の処理とステップＳ４０１、Ｓ４０２の処理と同様であり、補正量算出部８３による補正量の算出及び判定部８４による補正量適否判定を行う。補正量を判定する基準値は、実施形態３の基準値と同様でもよいし、それとは異なっていてもよい。
【００８０】
＜ステップＳ５０１＞
判定部８４は、補正量が不適である印加軸を判定結果として、撮像部を制御する制御部８０に渡す。或いは表示制御部８９を介してディスプレイ２０に表示してもよい。表示制御部８９は、判定結果と共に、再撮像を指示するためのＧＵＩをディスプレイ２０に表示する。これにより操作者は判定結果を見て再撮像するか否かを決定することができる。
【００８１】
＜ステップＳ５０２＞
制御部８０は、判定部８４からの判定結果を受け付けると、或いはＧＵＩを介して操作者の指示を受け付けると、再撮像を実行する。再撮像の対象は、例えば、補正量が大きい、すなわちずれ量が大きいｂ値のＭＰＧ軸の拡散強調画像のみでもよいし、撮像順が前の軸の画像を含めた複数の画像でもよい。また補正量が不適である軸の割合が多い場合或いは判定の度に、すべての拡散強調画像を再撮像してもよい。この時、算出した補正量の値に基づいて、撮像順を変更して補正量が異常にならないように変更するなどを行ってもよい。
【００８２】
＜ステップＳ４０３、Ｓ４０５＞
一部のＭＰＧ軸についてのみ再撮像を行った場合には、それにより得られた拡散強調画像について、上記ステップＳ４０１、Ｓ４０２の処理を行い、また、すべての拡散強調画像を再撮像する場合には、ステップＳ２０２に戻り、ステップＳ５０２までの処理を繰り返し、いずれの場合も、算出した補正量がすべて適正になったならば、実施形態３のステップＳ４０３、Ｓ４０５と同様の補正を行い、ステップＳ２０６に進む。
【００８３】
＜ステップＳ２０６、Ｓ２０７＞
実施形態１のスッテプＳ２０６、Ｓ２０７と同様であり、補正後の拡散強調画像を用いて計算画像を算出し、ディスプレイ２０に表示させる。
【００８４】
以上、実施形態４の処理を説明したが、実施形態４は、実施形態３と組み合わせることも可能である。この場合、判定部８４は、補正量を判定する基準値として、例えば、ずれ量の異なる２つの基準値、第一基準値及び第二基準値を設定する。そして、補正量算出部８３が算出した補正量が第一基準値を超えた軸については、実施形態３のステップＳ４０３の処理を行い、他の軸の補正量を用いて補正を行う。補正量算出部８３が算出した補正量が第一基準値を超えた場合、実施形態４のステップＳ５０１、Ｓ５０２の処理を行い、不適であると判定された軸或いはそれを含む複数の軸の再撮像を行う。
【００８５】
以上説明したように、本実施形態では、補正量算出部が算出した補正量の適否を判定し、補正量が不適と判定された場合には、補正量が不適と判定された軸について、或いはそれを含む複数の軸或いは全軸について再撮像を行う。本実施形態によれば、実施形態１或いは実施形態２と同様の効果に加え、不適な補正量による補正を排除することで、補正の精度を向上することができ、より高精度な計算画像を算出することができる。
【００８６】
以上、本発明の実施形態を説明したが、本発明は上記実施形態やその説明に用いた図面に示される実施形態に限定されるものではない。例えば技術的に矛盾しない限り、複数の実施形態を組み合わせることや、実施形態に必須ではない要素を削除したり追加したりすることも可能である。
【符号の説明】
【００８７】
１：被検体、２：静磁場発生部、３：傾斜磁場発生部、４：シーケンサ、５：送信部、６：受信部、７：信号処理部、８：演算部、９：傾斜磁場コイル、１０：傾斜磁場電源、１１：高周波発振器、１２：変調器、１３：高周波増幅器、１４ａ：高周波コイル（送信コイル）、１４ｂ：高周波コイル（受信コイル）、１５：信号増幅器、１６：直交位相検波器、１７：Ａ／Ｄ変換器、１８：磁気ディスク、１９：光ディスク、２０：ディスプレイ、２１：ＲＯＭ、２２：ＲＡＭ、２３：マウス、２４：キーボード、２５：操作部、８０：制御部、８１：画像再構成部、８２：抽出部、８３：補正量算出部、８４：判定部、８５：補正部、８７：計算画像算出部、８９：表示制御部
【図１】
2018196582.tif 000005
【図２】
2018196582.tif 000006
【図３】
2018196582.tif 000007
【図４】
2018196582.tif 000008
【図５】
2018196582.tif 000009
【図６】
2018196582.tif 000010
【図７】
2018196582.tif 000011
【図８】
2018196582.tif 000012
【図９】
2018196582.tif 000013
【図１０】
2018196582.tif 000014
【図１１】
2018196582.tif 000015
【図１２】
2018196582.tif 000016
【図１３】
2018196582.tif 000017